(57)【特許請求の範囲】
【請求項１】
カメラ部と、前記カメラ部で撮影された画像データを記録する記録部とを備えたカメラレコーダであって、
前記記録部は、
前記カメラ部から画像データを入力するインターフェイス部と、
前記画像データを記録する複数のメモリカードと、
前記メモリカードに対する画像データの書き込みを制御する制御部とを備え、
前記メモリカードはフラッシュメモリによって構成され、
前記制御部が、前記インターフェイス部を介して前記カメラ部から入力された画像データを、前記フラッシュメモリの消去ブロックの整数倍のデータサイズでブロック化して、前記ブロックを夫々のメモリカードの消去ブロックに対応づけて記録することを特徴とするカメラレコーダ。
【請求項２】
カメラ部と、前記カメラ部で撮影された画像データを記録する記録部とを備えたカメラレコーダであって、
前記記録部は、
前記カメラ部から画像データを入力するインターフェイス部と、
前記画像データを記録する複数のメモリカードと、
前記メモリカードに対する画像データの書き込みを制御する制御部とを備え、
前記メモリカードはフラッシュメモリによって構成され、
前記カメラ部から前記インターフェイス部へのデータ転送を、（前記フラッシュメモリの消去ブロックのデータサイズ）＊（記録部を構成しているメモリカード数）の整数倍のブロックサイズ単位で行い、
前記制御部が、前記複数のメモリカードへの記録をフラッシュメモリの記録ブロック単位でストライピング記録することを特徴とするカメラレコーダ。
【請求項３】
前記記録部を複数ユニット備えた、請求項１〜２のいずれか一項に記載のカメラレコーダ。
【請求項４】
前記記録部が着脱可能である、請求項１〜３のいずれか一項に記載のカメラレコーダ。
【請求項５】
前記記録部が、外部の情報処理機器と互換性を有するカードまたはスティック形状である、請求項４に記載のカメラレコーダ。
【請求項６】
カメラ部と、前記カメラ部で撮影された画像データを記録する記録部とを備えたカメラレコーダであって、
前記記録部は、
前記カメラ部から画像データを入力するインターフェイス部と、
前記画像データを記録する複数のメモリカードと、
前記メモリカードからの画像データの読み出しを制御する制御部とを備え、
前記メモリカードはフラッシュメモリによって構成され、
前記制御部が、前記インターフェイス部を介して前記カメラ部から入力された画像データを、前記フラッシュメモリの消去ブロックの整数倍のデータサイズでブロック化して、前記ブロックを夫々のメモリカードの消去ブロックに対応づけて記録された画像データを並列に読み出すことを特徴とするカメラレコーダ。
【請求項７】
カメラ部と、前記カメラ部で撮影された画像データを記録する記録部とを備えたカメラレコーダであって、
前記記録部は、
前記カメラ部から画像データを入力するインターフェイス部と、
前記画像データを記録する複数のメモリカードと、
前記メモリカードからの画像データの読み出しを制御する制御部とを備え、
前記メモリカードはフラッシュメモリによって構成され、
前記カメラ部から前記インターフェイス部へのデータ転送を、（前記フラッシュメモリの消去ブロックのデータサイズ）＊（記録部を構成しているメモリカード数）の整数倍のブロックサイズ単位で行い、
前記制御部が、前記複数のメモリカードへの記録をフラッシュメモリの記録ブロック単位でストライピング記録された画像データを並列に読み出すことを特徴とするカメラレコーダ。
【請求項８】
前記記録部を複数ユニット備えた、請求項６または７に記載のカメラレコーダ。
【請求項９】
前記記録部が着脱可能である、請求項６〜８のいずれか一項に記載のカメラレコーダ。
【請求項１０】
前記記録部が、外部の情報処理機器と互換性を有するカードまたはスティック形状である、請求項９に記載のカメラレコーダ。
【請求項１１】
画像データを入力するインターフェイス部と、
前記画像データを記録する複数のメモリカードと、
前記メモリカードに対する画像データの書き込みを制御する制御部とを備え、
前記メモリカードはフラッシュメモリによって構成され、
前記制御部が、前記インターフェイス部を介して前記カメラ部から入力された画像データを、前記フラッシュメモリの消去ブロックの整数倍のデータサイズでブロック化して、前記ブロックを夫々のメモリカードの消去ブロックに対応づけて記録することを特徴とするデータ記録媒体。
【請求項１２】
画像データを入力するインターフェイス部と、
前記画像データを記録する複数のメモリカードと、
前記メモリカードに対する画像データの書き込みを制御する制御部とを備え、
前記メモリカードはフラッシュメモリによって構成され、
前記インターフェイス部が、（前記フラッシュメモリの消去ブロックのデータサイズ）＊（記録部を構成しているメモリカード数）の整数倍のデータブロック単位で画像データの入力を行い、
前記制御部が、前記複数のメモリカードへの記録をフラッシュメモリの記録ブロック単位で行い、
前記制御部が、前記複数のメモリカードへの記録をフラッシュメモリの記録ブロック単位でストライピング記録することを特徴とするデータ記録媒体。
【請求項１３】
複数種類の情報処理機器の間で互換性を有するカードまたはスティック形状である、請求項１１〜１２のいずれか一項に記載のデータ記録媒体。
【発明の詳細な説明】
【技術分野】
【０００１】
本発明は、メモリカードを用いて構成されるデータ記録媒体と、これを利用したカメラレコーダに関する。
【背景技術】
【０００２】
ＳＤカード等のフラッシュメモリが内蔵されたカード型の記録媒体であるメモリカードは、超小型、超薄型であり、その取り扱い易さから、ディジタルスチルカメラ等のディジタル機器に広く利用されている。
【０００３】
しかしながら、現在発売されているメモリカードの記録最大容量は５１２ＭＢであり、最大記録レートは１０ＭＢ／ｓｅｃである。上記のようなメモリカードに、映像信号を長時間記録する場合は記録容量が不足している。例えば、ＤＶ（ディジタルビデオ）の映像信号と音声信号を記録するには、約４ＭＢ／ｓｅｃの帯域が必要であり、５１２ＭＢのメモリカードには約２分程度しか記録することはできない。
【０００４】
特開２００２−１８９９９２号公報（特許文献１）には、外部インターフェイスを有するメモリカードドライブ本体に、複数のメモリカードの装着部を設け、これらの装着部に複数のメモリカードを装着することによって、１枚のメモリカードドライブで大容量の情報を記録可能にする技術が開示されている。
【０００５】
また、特開２０００−２０７１３７号公報（特許文献２）には、用途に応じて手持ちの半導体ディスクを組合わせて所望の容量のディスクシステムを構成することが開示されている。
【特許文献１】特開２００２−１８９９９２号公報（第３〜５頁、第１図）
【特許文献２】特開２０００−２０７１３７号公報（第３〜６頁、第１図）
【発明の開示】
【発明が解決しようとする課題】
【０００６】
しかしながら、従来のメモリカードドライブでは、複数のメモリカードをパックキングして１パックとすることによって、記録容量を増大することには対応しているが、転送レートについては高速化が図られていないので、１０ＭＢ／ｓｅｃ以上の記録レートを有する高解像度の映像信号を記録することはできない。
【０００７】
また、メモリカードドライブに記録した画像データを、高速にＰＣにアップロードすることはできないので、ＰＣへのアップロード時間は大容量化に比例して遅くなる。
【０００８】
本発明は、上記問題を解決するものであり、大容量の画像データの高速記録再生が可能なカメラレコーダとそれに用いられるデータ記録媒体を提供することを目的とする。
【課題を解決するための手段】
【０００９】
この課題を解決するために、本発明にかかる第１のカメラレコーダは、カメラ部と、前記カメラ部で撮影された画像データを記録する記録部とを備えたカメラレコーダであって、前記記録部は、前記カメラ部から画像データを入力するインターフェイス部と、前記画像データを記録する複数のメモリカードと、前記メモリカードに対する画像データの書き込みを制御する制御部とを備え、前記メモリカードはフラッシュメモリによって構成され、前記制御部が、前記インターフェイス部を介して前記カメラ部から入力された画像データを、前記フラッシュメモリの消去ブロックの整数倍のデータサイズでブロック化して、前記ブロックを夫々のメモリカードの消去ブロックに対応づけて記録することを特徴とする。また、カメラ部と、前記カメラ部で撮影された画像データを記録する記録部とを備えたカメラレコーダであって、前記記録部は、前記カメラ部から画像データを入力するインターフェイス部と、前記画像データを記録する複数のメモリカードと、前記メモリカードに対する画像データの書き込みを制御する制御部とを備え、前記メモリカードはフラッシュメモリによって構成され、前記カメラ部から前記インターフェイス部へのデータ転送を、（前記フラッシュメモリの消去ブロックのデータサイズ）＊（記録部を構成しているメモリカード数）の整数倍のブロックサイズ単位で行い、前記制御部が、前記複数のメモリカードへの記録をフラッシュメモリの記録ブロック単位でストライピング記録することを特徴とする。
【００１０】
また、本発明にかかる第２のカメラレコーダは、カメラ部と、前記カメラ部で撮影された画像データを記録する記録部とを備えたカメラレコーダであって、前記記録部は、前記カメラ部から画像データを入力するインターフェイス部と、前記画像データを記録する複数のメモリカードと、前記メモリカードからの画像データの読み出しを制御する制御部とを備え、前記メモリカードはフラッシュメモリによって構成され、前記制御部が、前記インターフェイス部を介して前記カメラ部から入力された画像データを、前記フラッシュメモリの消去ブロックの整数倍のデータサイズでブロック化して、前記ブロックを夫々のメモリカードの消去ブロックに対応づけて記録された画像データを並列に読み出すことを特徴とする。また、カメラ部と、前記カメラ部で撮影された画像データを記録する記録部とを備えたカメラレコーダであって、前記記録部は、前記カメラ部から画像データを入力するインターフェイス部と、前記画像データを記録する複数のメモリカードと、前記メモリカードからの画像データの読み出しを制御する制御部とを備え、前記メモリカードはフラッシュメモリによって構成され、前記カメラ部から前記インターフェイス部へのデータ転送を、（前記フラッシュメモリの消去ブロックのデータサイズ）＊（記録部を構成しているメモリカード数）の整数倍のブロックサイズ単位で行い、前記制御部が、前記複数のメモリカードへの記録をフラッシュメモリの記録ブロック単位でストライピング記録された画像データを並列に読み出すことを特徴とする。
【００１１】
また、本発明にかかるデータ記録媒体は、画像データを入力するインターフェイス部と、前記画像データを記録する複数のメモリカードと、前記メモリカードに対する画像データの書き込みを制御する制御部とを備え、前記メモリカードはフラッシュメモリによって構成され、前記制御部が、前記インターフェイス部を介して前記カメラ部から入力された画像データを、前記フラッシュメモリの消去ブロックの整数倍のデータサイズでブロック化して、前記ブロックを夫々のメモリカードの消去ブロックに対応づけて記録することを特徴とする。また、画像データを入力するインターフェイス部と、前記画像データを記録する複数のメモリカードと、前記メモリカードに対する画像データの書き込みを制御する制御部とを備え、前記メモリカードはフラッシュメモリによって構成され、前記インターフェイス部が、（前記フラッシュメモリの消去ブロックのデータサイズ）＊（記録部を構成しているメモリカード数）の整数倍のデータブロック単位で画像データの入力を行い、前記制御部が、前記複数のメモリカードへの記録をフラッシュメモリの記録ブロック単位で行い、前記制御部が、前記複数のメモリカードへの記録をフラッシュメモリの記録ブロック単位でストライピング記録することを特徴とする。
【発明の効果】
【００１２】
本発明によれば、大容量の画像データの高速記録再生が可能なカメラレコーダと、例えばパーソナルコンピュータ等の情報処理機器へ画像データを高速に転送することが可能なデータ記録媒体を提供できる。
【発明を実施するための最良の形態】
【００１３】
本発明にかかる上述の第１のカメラレコーダによれば、画像データを並列に書き込むメモリカードの枚数に比例した記録レートを実現できるので、画像データの高速記録が可能となる。
【００１４】
また、第１のカメラレコーダにおいて、インターフェイス部を介してカメラ部から入力された画像データを、フラッシュメモリの記録ブロックの整数倍のデータサイズでブロック化し、前記複数のメモリカードへ並列に書き込む構成とすれば、書き換え回数の増加を防止できる。
【００１５】
また、第１のカメラレコーダにおいて、インターフェイス部を介してカメラ部から入力された画像データを、フラッシュメモリの消去ブロックの整数倍のデータサイズでブロック化し、前記複数のメモリカードへ並列に書き込む構成とすれば、メモリカードを複数使用することによる消去回数の増大を防止し、高速記録が可能となる。
【００１６】
さらに、第１のカメラレコーダにおいて、カメラ部から前記インターフェイス部へのデータ転送を、（前記フラッシュメモリの消去ブロックのデータサイズ）＊（記録部を構成しているメモリカード数）の整数倍のブロックサイズ単位で行い、前記制御部が、前記複数のメモリカードへの記録をフラッシュメモリの記録ブロック単位で行うことも好ましい。リード時に小ブロックの高速転送が可能となるからである。
【００１７】
また、第１のカメラレコーダにおいて、制御部が、前記ブロック化した画像データを、前記複数のメモリカードへストライピングして記録することも好ましい。
【００１８】
また、第１のカメラレコーダにおいて、前記記録部を複数ユニット備えた態様とすることも好ましい。より長時間の画像データの記録が可能となるからである。
【００１９】
また、第１のカメラレコーダにおいて、前記記録部が着脱可能である態様とすることも好ましい。さらに、記録部が、外部の情報処理機器と互換性を有するカードまたはスティック形状である態様も好ましい。パーソナルコンピュータ等の情報処理機器で画像データの編集ができるからである。
【００２０】
また、本発明にかかる上述の第２のカメラレコーダによれば、制御部が、複数のメモリカードから、フラッシュメモリの記録ブロックの整数倍のデータサイズでブロック化された画像データを並列に読み出すことにより、高速レートを要する映像信号の再生が可能である。
【００２１】
さらに、第２のカメラレコーダにおいて、前記記録部を複数ユニット備えた態様とすることも好ましい。より長時間の画像データの再生が可能となるからである。また、第２のカメラレコーダにおいて、前記記録部が着脱可能である態様とすることも好ましい。さらに、記録部が、外部の情報処理機器と互換性を有するカードまたはスティック形状である態様も好ましい。パーソナルコンピュータ等の情報処理機器で画像データの編集ができるからである。
【００２２】
また、本発明にかかるデータ記録媒体によれば、制御部が、前記インターフェイス部を介して入力された画像データを、前記フラッシュメモリの記録ブロックの整数倍のデータサイズでブロック化し、前記複数のメモリカードへ並列に記録することにより、画像データを並列に書き込むメモリカードの枚数に比例した記録レートを実現できるので、画像データの高速記録が可能となる。
【００２３】
また、本発明のデータ記録媒体において、インターフェイス部を介して入力された画像データを、フラッシュメモリの消去ブロックの整数倍のデータサイズでブロック化し、前記複数のメモリカードへ並列に書き込む構成とすれば、メモリカードを複数使用することによる消去回数の増大を防止し、高速記録が可能となる。
【００２４】
さらに、本発明のデータ記録媒体において、前記インターフェイス部におけるデータ入力を、（前記フラッシュメモリの消去ブロックのデータサイズ）＊（記録部を構成しているメモリカード数）の整数倍のブロックサイズ単位で行い、前記制御部が、前記複数のメモリカードへの記録をフラッシュメモリの記録ブロック単位で行うことも好ましい。リード時に小ブロックの高速転送が可能となるからである。
【００２５】
また、本発明のデータ記録媒体において、制御部が、前記ブロック化した画像データを、前記複数のメモリカードへストライピングして記録することも好ましい。また、本発明のデータ記録媒体は、複数種類の情報処理機器の間で互換性を有するカードまたはスティック形状であることも好ましい。例えば、カメラレコーダに取り付けて撮影した画像データを記録した後に、パーソナルコンピュータ等の情報処理機器で画像データの編集ができるからである。
【００２６】
以下、本発明の実施の形態について、図面を参照しながらより具体的に説明する。
【００２７】
（実施の形態１）
図１に、本発明の一実施形態にかかるカメラレコーダの構成を示す。図１において、１はカメラ部、２はカメラ部より転送される画像データを記録する記録部である。カメラ部１は、撮像部１０と、撮像部１０からの映像信号をディジタル化し、６４ＫＢ単位でブロッキングする信号処理部１１とを備えている。記録部２は、カメラ部１から画像データを入力する際のインターフェイスとなるインターフェイス部３と、４枚のメモリカード５０，５１，５２，５３と、これら４枚のメモリカード５０〜５３にディジタルデータを伝送し、並列に動作させる制御部４とを備えている。メモリカード５０〜５３には、メモリカード＃０、メモリカード＃１、メモリカード＃２、メモリカード＃３のようにメモリカード番号が付されている。また、メモリカード５０〜５３のそれぞれの記録容量は５１２ＭＢであり、１６ＫＢのブロックを連続転送した時の記録レートは４ＭＢ／ｓｅｃである。
【００２８】
以上の構成を有するカメラレコーダの動作について、記録の動作から詳細に説明する。
【００２９】
撮像部１０によって撮像された映像信号は、信号処理部１１に入力される。信号処理部１１は、入力された映像信号をデータ圧縮し、６４ＫＢ毎にブロッキングして出力する。信号入力部１１は、例えばこのカメラレコーダがＤＶＣＰＲＯ５０規格に準拠するものである場合、約２５ＭＢ／ｓｅｃの画像データを９ＭＢ／ｓｅｃのレートに画像圧縮する。
【００３０】
信号処理部１１によって６４ＫＢ単位でブロック化された画像データは、インターフェイス部３を介して制御部４に入力される。制御部４は、インターフェイス部３から入力された画像データを、１６ＫＢのブロック単位で、４枚のメモリカード５０〜５３に並行して同時に記録させていく。
【００３１】
１６ＫＢのデータを連続して記録した場合、メモリカード５０〜５３の記録レートは４ＭＢ／ｓｅｃであり、メモリカード５０〜５３の４枚に夫々１６ＫＢ単位で同時記録するので、インターフェイス部３に転送される画像データの許容最大転送レートは１６ＭＢ／ｓｅｃとなる。よって、１枚のメモリカードの４倍の記録レートが得られる。
【００３２】
次に、メモリカード５０〜５３の動作について説明するが、まず、一般的なメモリカードの記録動作について説明する。
【００３３】
一般に、メモリカードに内蔵されているフラッシュメモリは、複数の消去ブロックより構成され、データを消去する場合は消去ブロック単位に消去動作が実施される。消去ブロックは複数の記録ブロックを含んでおり、消去済みの消去ブロックは記録ブロック単位で書き込み（ライト）が可能である。
【００３４】
例えば、５１２バイトの記録ブロックが２個で消去ブロックを構成しているフラッシュメモリにおいて、消去ブロックを構成している２個の記録ブロックに一度書き込まれたデータを、片方の記録ブロックのみ書き換える場合のアルゴリズムについて、図６（ａ）〜（ｄ）を参照しながら説明する。
【００３５】
図６（ａ）において、６１，６２は消去ブロックである。消去ブロック６１は、２個の記録ブロック６１ａ，６１ｂで構成され、消去ブロック６２は、２個の記録ブロック６２ａ，６２ｂで構成されている。また、図６（ａ）において、消去ブロック６１にはデータＡ，Ｂが書き込み済みであり、消去ブロック６２は消去済みであるものとする。
【００３６】
図６（ａ）の状態のフラッシュメモリにおいてデータＢのみを書き換える場合は、以下の手順による。まず、消去済みの消去ブロック６２に、書き換えるデータＢ（ＮＥＷ）を書き込む（図６（ｂ）参照）。次に、消去ブロック６１に書き込み済みのデータＡを、消去ブロック６２に移動させる（図６（ｃ）参照）。そして、消去ブロック６１を消去する（図６（ｄ）参照）。
【００３７】
これらの一連の動作を、巻き込み退避と呼ぶ。巻き込み退避が発生した場合は、書き込みが２回生じるので、書き込みレートは低下する。さらに、データが記録されている物理位置が更新されていくので、上述した動作以外にも、巻き込み退避が発生する毎に、論理アドレスと物理アドレスの相関表の更新が必要である。
【００３８】
ここで、図７に、本実施の形態で使用するメモリカードの概念図を示す。
【００３９】
本実施の形態で使用するメモリカード５０〜５３は、図７に示すように（図７にはメモリカード５０のみを例示する）、１つの消去ブロック７１は、３２個の記録ブロック７２から構成されている。各記録ブロック７２のサイズは５１２Ｂであり、消去ブロック７１のサイズは１６ＫＢである。
【００４０】
例えば、記録ブロック７２に対して、＃０，＃１，＃２…のように連番を付加していくとすると、＃０〜＃３１の記録ブロックが１個の消去ブロックとなる。
【００４１】
消去ブロック７１にも連番を付加していくとすると、記録ブロック７２の連番Ｒ（ｎ）と、消去ブロック７１の連番Ｅ（ｎ）は以下の関係になる。
【００４２】
Ｅ（ｎ）＝Ｒ（ｎ）／３２
消去ブロック７１が複数の記録ブロック７２によって構成されているので、例えば、連続する記録ブロックに１６ＫＢのデータを上書きしようとする場合には、（１）１６ＫＢのデータを１個の消去ブロックに記録する場合（例：記録ブロック＃０〜＃３１）、（２）１６ＫＢのデータを２個の消去ブロックにまたがって記録する場合（例：記録ブロック＃１〜＃３２）、の２種類のパターンが発生する。
【００４３】
上記（１）のパターンの場合は、記録動作は以下の（ａ１）〜（ａ３）の３ステップによって行われる。
【００４４】
（ａ１）未記録の消去ブロックの検出、
（ａ２）上記（ａ１）によって検出された消去ブロックに、更新する１６ＫＢのデータを記録、
（ａ３）更新前のデータの消去。
【００４５】
一方、上記（２）のパターンの場合は、記録動作は以下の（ｂ１）〜（ｂ８）の８ステップによって行われる。
【００４６】
（ｂ１）未記録の消去ブロックの検出、
（ｂ２）上記（ｂ１）によって検出された消去ブロックの記録ブロック＃１〜＃３１に、対応するデータを記録、
（ｂ３）上記（ｂ１）によって検出された消去ブロックに、記録ブロック＃０に対応するデータを退避、
（ｂ４）更新前の記録ブロック＃０〜＃３１が記録されていた消去ブロックを消去、
（ｂ５）未記録の消去ブロックの検出、
（ｂ６）上記（ｂ５）によって検出された消去ブロックに、記録ブロック＃３２に対応するデータを記録、
（ｂ７）上記（ｂ５）によって検出された消去ブロックに、記録ブロック＃３３〜＃６３に対応するデータを退避、
（ｂ８）更新前の記録ブロック＃３２〜＃６３が記録されていた消去ブロックを消去。
【００４７】
以上に説明したようにデータを更新する場合、メモリカードの転送性能を発揮するには、メモリカードの消去ブロックのアライメントを考慮して記録することが重要である。
【００４８】
よって、本実施形態では、６４ＫＢ単位にカメラ部１から記録部２にデータ転送し、記録部２では、６４ＫＢのデータを各メモリカードの消去ブロックに対応した１６ＫＢに分割して記録している。
【００４９】
図２は、図１の記録部２の内部構成の一例を示すブロック図である。図２において、図１と同一の符号を記してあるブロックは説明を省略する。図２において、４０は、インターフェイス部３より転送されるディジタルデータを一時格納するバッファメモリ、４１は、バッファメモリ４０を制御するメモリ制御部である。メモリ制御部４０は、例えば１６ＭＢ／ｓｅｃの転送レートで直列に入力されたディジタルデータを、４ＭＢ／ｓｅｃの転送レートを有する４列のディジタルデータ列に変換する。４２はアドレス変換部で、インターフェイス部３を介して記録再生を指示されたセクタのセクタ番号を、４枚のメモリカード５０〜５３に付されたメモリカード番号とメモリカード内部のアドレスとに変換する。４３は、アドレス変換部４２によって出力された内部論理セクタ番号に従って、４枚のメモリカード５０〜５３の制御を行うメモリカード制御部である。
【００５０】
以上の構成を有する記録部２の動作について、さらに詳細に説明する。
【００５１】
本実施形態では、インターフェイス部３には、ＰＣカードに準拠したインターフェイスを使用する。インターフェイス部３には、カメラ部１より、ＡＴＡ規格に準拠したコマンドセット並びにディジタルデータが転送されてくる。一般に、ディジタルデータは５１２バイトを単位ブロックとしたセクタの整数倍の単位で、記録デバイスとホスト間を転送される。本実施形態では、３２＊４個のセクタを１個にパッキングし、６４ＫＢ（５１２Ｂ＊３２＊４）単位でディジタルデータを転送している。このように、セクタを複数個集めたブロックをクラスタと呼び、ファイルシステム（例えばＦＡＴ）では、クラスタ単位でファイル管理を行う。本実施形態では、１６ＫＢのクラスタ単位でファイル管理を行い、４クラスタ単位（６４ＫＢ）でデータ転送を行う。
【００５２】
図３に、本実施の形態における制御部４の入出力クラスタのタイミングを示す。
【００５３】
図３の（ａ）はインターフェイス部３に転送されるクラスタのタイミング図であり、符号はクラスタ番号である。１クラスタ当たりに転送されるバイト数は１６Ｋバイトであり、４バイト毎に６６ＭＨｚのクロックに同期して転送されている。
【００５４】
ＤＶＣＰＲＯ５０規格では転送レートは９ＭＢ／ｓｅｃであるので、転送データの占有率は９／（６６＊４）となる。本実施形態では、カメラ部１の信号処理部１０において、データをメモリ（図示せず）でバッファリングした後に、４クラスタ単位（１６ＫＢ＊４）で連続して記録部２に転送している。
【００５５】
図３の（ｂ）はメモリカード０に転送されるクラスタのタイミング図、同図の（ｃ）はメモリカード１に転送されるクラスタのタイミング図、同図の（ｄ）はメモリカード２に転送されるクラスタのタイミング図、同図の（ｅ）はメモリカード３に転送されるクラスタのタイミング図であり、（ｂ）、（ｃ）、（ｄ）、（ｅ）に記した符号は、（ａ）に記したクラスタ番号に対応している。
【００５６】
図３の（ａ）に示したタイミングで、２バイト当たり６６ＭＨｚレートでインターフェイス部３へ転送された各クラスタは、制御部４のバッファメモリ４０に転送され、メモリ制御部４１によって、セクタ単位で図３の（ｂ）、（ｃ）、（ｄ）、（ｅ）に示すようにインターリーブされて、メモリカード制御部４３に転送される。
【００５７】
アドレス変換部４２では、インターフェイス部３を介して指示されたクラスタ番号を、メモリカード５０〜５３のメモリカード番号と、夫々のメモリカードが有する内部クラスタ番号に変換する。
【００５８】
図４は、アドレス変換部４２が利用する、クラスタ番号の変換テーブルである。インターフェイス部３に転送されたクラスタ番号（図４の転送クラスタ番号）を４で割った余り部分が、メモリカード番号となる。すなわち、
メモリカード番号＝転送クラスタ番号％４
と表せる。なお、“％”は剰余演算記号である。
【００５９】
また、転送クラスタ番号を４で割った商の整数部が、メモリカードのクラスタ番号となる。すなわち、
メモリカードのクラスタ番号＝転送クラスタ番号／４
と表せる。なお、ここでの“／”は、商の整数部を求める演算記号である。
【００６０】
メモリカード制御部７は、以上のようにバッファメモリ４０によって並列化されたクラスタを、アドレス変換部４２に変換されたクラスタ番号に従って、４枚のメモリカード５０〜５３に転送し、クラスタ毎に４並列で各メモリカードに記録する。
【００６１】
このように、カメラ部１より転送されたデータを、メモリカード５０〜５３の消去ブロック単位で分割し、メモリカード５０〜５３へ並列記録することによって、記録レート４ＭＢ／ｓｅｃのメモリカードの転送性能を損なうことなく４並列に動作させることが可能になり、１６ＭＢ／ｓｅｃの最大記録レートを実現できる。
【００６２】
以上では、インターフェイス部３を介して転送されたデータを、消去ブロック単位で分割して各メモリカードに記録する例を説明したが、以降では、本実施形態の変形例として、記録ブロック単位でデータを分割して記録する例について説明する。
【００６３】
図８は、本実施形態の変形例の説明図である。図８に示すように、この例では、インターフェイス部３を介して転送されたデータを、フラッシュメモリの記録ブロック単位で分割して各メモリカードに記録していく。
【００６４】
すなわち、インターフェイス部３を介して転送されたデータを、フラッシュメモリの記録ブロック（５１２Ｂ）毎に、各メモリカードにストライピングする。なお、カメラ部１から記録部２へ、消去ブロックの４倍のサイズのブロック単位（６４ＫＢ）で画像データが転送される。
【００６５】
この例では、各フラッシュメモリの消去ブロックとカメラ部１から転送されるデータブロックとが一致しているため、結果として退避は発生せずに、カメラ部１から転送されたデータを高速に記録することが可能である。
【００６６】
また、この例では、高速記録が可能であるのみならず、リード時において、記録ブロックの４倍の単位からメモリカードの並列リードができるため、比較的小ブロックのデータの高速リードが可能である。
【００６７】
なお、記録ブロック（５１２Ｂ）より小さい単位（例えば１２８Ｂ）毎に４個のメモリカードに分割する場合は、５１２Ｂのデータ記録において、４個の記録ブロックを書き換えることになる。ゆえに、５１２Ｂ単位で４個のメモリカードに分割した場合に比較して、書き換え回数が４倍に増大し、書き換え回数に制限があるフラッシュメモリでは不利であることは明白である。
【００６８】
さらに、メモリカードに複数のフラッシュメモリが内蔵され、メモリカード内部でＮ個（Ｎは２以上の整数）のフラッシュメモリを並列動作させている場合は、フラッシュメモリの消去ブロックのＮ倍に対応したブロック単位で記録動作を行うことによって高速記録が可能になることはいうまでもない。
【００６９】
本実施形態の再生動作は、データフローが記録動作の逆である。
【００７０】
まず、インターフェイス部３にリードクラスタ番号が入力される。前記リードクラスタ番号は、アドレス変換部４２により、リードすべきメモリカード番号と、メモリカードのクラスタ番号に変換される。メモリカード制御部４３は前記メモリカード番号とメモリカードのクラスタ番号に従って、所定のメモリカードより当該クラスタのディジタルデータをリードする。メモリカードよりリードされたディジタルデータは、バッファメモリ４０に一時格納された後に、インターフェイス部３を介して出力される。
【００７１】
インターフェイス部３に入力されるクラスタ番号は、リードする先頭クラスタ番号と、連続してリードするクラスタ数の形態で入力されるので、メモリカード制御部４３は、並列に４枚のメモリカードよりクラスタをリードしてバッファメモリ４０に転送できるので、読み出しを高速化することができる。
【００７２】
読み出されたクラスタは、カメラ部１の信号処理部１１に入力される。信号処理部１１は、圧縮データを映像信号に復元し、モニタ等に出力する。
【００７３】
なお、再生動作は、カメラレコーダで実施しても良いが、記録部２をＰＣカード形状に実装すれば、記録部２をカメラレコーダから取り外してパーソナルコンピュータへ挿入し、撮影した映像信号を再生できる。
【００７４】
このように記録部２をＰＣカードとして実装すれば、モバイル型パーソナルコンピュータとカメラレコーダとを携帯してフィールドで撮影し、ＰＣカード形状の記録部２をカメラレコーダから取り出してモバイル型パーソナルコンピュータに挿入し、撮影した画像データをモバイル型パーソナルコンピュータで編集した後に、インターネット等の通信手段を介して放送センターに伝送する、という放送局の新たなワークフローが提供できる。
【００７５】
なお、ＰＣへの転送レートは、映像信号の記録レートと同一にする必要はなく、最高速でアップロードすればよいことはいうまでもない。
【００７６】
また、ＰＣカード形状の記録部２は、機械的に可動な構造を持たないことから、ＰＣの外部記録媒体としてもＨＤＤよりも遥かに衝撃に強くモバイルディスクとして有効に活用できる。また、記録部２は、カード形状以外に、スティック形状にしても良い。
【００７７】
図５に、記録部２をＰＣカード形状に構成し、複数枚挿入したカメラレコーダの概念図を示す。図５に示すように、カメラレコーダを、記録部２を複数枚挿入できる構成とすれば、より長時間の映像信号の記録が実現できる。
【００７８】
また、記録部２をカメラレコーダに２個装着すれば、動作していない記録部を交換することによって、映像信号の無制限の連続記録が可能となる。
【００７９】
なお、本実施形態ではメモリカードを４枚備えた構成を例にして説明をしたが、勿論これに限る必要はなく、Ｎ（Ｎは自然数）枚のメモリカードと、これに対応したメモリカード番号とアドレス変換部による内部論理セクタ番号に従ってＮ枚のメモリカードの制御を行うことも可能である。
【００８０】
以上説明したように、複数個のメモリカードを並列に動作させる記録部とカメラ部でカメラレコーダを構成することにより、高レートの映像信号の記録再生が実現できる。
【００８１】
また、記録部を構成しているメモリカードの特性に応じて所定の単位でブロック化して、前記ブロックを夫々のメモリカードに対応づけて記録することにより、メモリカードの記録ブロック、消去ブロックに対応した制御をすることにより、転送性能を良好なものにすることができる。
【００８２】
また、フラッシュメモリの記録ブロックのＮ倍（Ｎは自然数）でブロック化して、前記ブロックを夫々のメモリカードに対応づけて記録することにより、書き換え回数の増加を防止することができる。
【００８３】
また、フラッシュメモリの消去ブロックのＮ倍（Ｎは自然数）でブロック化して、前記ブロックを夫々のメモリカードに対応づけて記録することにより、メモリカードを複数使用することによる消去回数の増大を防止し、結果として高速記録が可能になる。
【００８４】
また、フラッシュメモリの記録ブロック単位で各メモリカードに対応づけを行い、（前記フラッシュメモリの消去ブロック）＊（記録部を構成しているメモリカード数）のＮ倍（Ｎは自然数）で、インターフェイス部を介してデータを転送して記録することにより、リード時に、小ブロックの高速転送が可能となる。
【産業上の利用可能性】
【００８５】
本発明は、大容量の画像データの高速記録再生が可能なカメラレコーダと、例えばパーソナルコンピュータ等の情報処理機器へ画像データを高速に転送することが可能なデータ記録媒体として有用である。
【図面の簡単な説明】
【００８６】
【図１】本発明の実施の形態におけるカメラレコーダの構成図
【図２】図１の記録部の詳細な構成図
【図３】制御部の入出力データのタイミング図
【図４】アドレス変換部の変換テーブルの一例の説明図
【図５】複数の記録部を有するカメラレコーダの概念図
【図６】メモリカードのライト動作の説明図
【図７】本発明の一実施形態におけるメモリカードの構成例を示す概念図
【図８】本発明の一実施形態におけるデータ記録手順の他の例を示す概念図
【符号の説明】
【００８７】
１  カメラ部
２  記録部
３  インターフェイス部
４  制御部
５  撮像部
６  信号処理部
５０〜５３  メモリカード
【図１】
0003603079.tif 000002
【図２】
0003603079.tif 000003
【図３】
0003603079.tif 000004
【図４】
0003603079.tif 000005
【図５】
0003603079.tif 000006
【図６】
0003603079.tif 000007
【図７】
0003603079.tif 000008
【図８】
0003603079.tif 000009